(57)【要約】【課題】ウェットティシュを取り出す際に、ウェットティシュ容器が不安定にならず、ウェットティシュ容器が大きく動くことを未然に防止することができるウェットティシュ容器を提供すること。【解決手段】収容開口１１１ａ及び収容部１１１を有する容器本体１１０と、蓋部１２０と、フック部１３０と、を有し、容器本体１１０の収容開口面側または収容開口面に対向する面側には、ウェットティシュを取り出す取出口１２１と、取出口を開閉するための取出口蓋部１２２が形成され、フック部が、取出口１２１から離間する方向に延伸されており、容器本体の外面に沿って配置可能であって、挟持部１３６ａを有するフック本体１３２と、フック本体を蓋部又は前記容器本体に対し回動自在に支持するフック支持部１３１と、を有し、フック本体には、フック本体を係止する係止用開口部１３２ａが形成されるウェットティシュ容器１００。【選択図】図８
2005104501.tif 000002
【特許請求の範囲】
【請求項１】
ウェットティシュを収容する開口面及び収容部を有する容器本体と、
前記収容部の開口を閉止する蓋部と、
前記容器本体を配置するためのフック部と、を有するウェットティシュ容器であって、
前記容器本体の前記開口面側または開口面に対向する面側には、前記ウェットティシュを取り出す取出口と、
前記取出口を開閉するための取出口蓋部が形成され、
前記フック部が、
前記取出口から離間する方向に延伸されており、
前記容器本体の外面に沿って配置可能であって、離間部を有するフック本体と、
前記フック本体を前記蓋部又は前記容器本体に対し回動自在に支持するフック支持部と、を有し、
前記フック本体には、前記フック本体を係止するための係止用開口部が形成されていることを特徴とするウェットティシュ容器。
【請求項２】
前記取出口は前記蓋部に形成されており、前記蓋部は、前記フック支持部の回動を規制するために前記フック支持部を被覆状態するフック支持被覆部と、
前記フック支持部の回動を可能にするために前記フック支持部を非被覆状態とするフック支持非被覆部と、を有し、
前記フック支持被覆部と前記フック支持非被覆部とは、相互に対向して配置されていることを特徴とする請求項１に記載のウェットティシュ容器。
【請求項３】
前記フック本体には、前記容器本体から離間する方向に屈曲して形成されると共に、その一部が前記フック支持被覆部に覆われるよう配置される突出部が形成されていることを特徴とする請求項２に記載のウェットティシュ容器。
【請求項４】
前記容器本体は、前記フック部が形成されるフック形成部と、
前記フック形成部に対向する容器正面部と、
前記容器正面部と前記フック形成部の側面である容器右側面部及び容器左側面部と、
前記容器正面部と前記フック形成部の平面及び底面である容器平面部及び容器底面部と、を有し、
前記容器本体は、前記容器正面部と前記フック形成部とを結ぶ奥行き方向が扁平な略直方体形状とされており、
前記収容部の開口が、前記容器平面部又は前記容器底面部に形成されていることを特徴とする請求項１乃至請求項３のいずれかに記載のウェットティシュ容器。
【発明の詳細な説明】
【技術分野】
【０００１】
本発明は、ウェットティシュを収容するウェットティシュ容器に関するものである。
【背景技術】
【０００２】
近年、ウェットティシュを使用する場所として、例えば自動車等が多くなっており、そのため、自動車の内部で動かないように自動車等の対象物に固定できるようウェットティシュ容器を取り付けるものが提案されている（例えば特許文献１）。
このようなウェットティシュ容器は、自動車等の中で動いてしまうことを防ぐよう構成されているだけでなく、高温等となる自動車等の内部に置かれるため、内部に収容されたウェットティシュが乾燥等し易い環境となる。
そこで、このようなウェットティシュ容器は取出口を開閉可能な開閉蓋を設けると共に、その取出口を狭く形成し、取出口にウェットティシュが挟持されると、取出口はウェットティシュで塞がれる構成となっている。
したがって、ウェットティシュ容器を長時間、自動車内に配置しても、ウェットティシュ容器内のウェットティシュが乾燥等することなく保持される構成となっている。
【０００３】
【特許文献１】実用新案登録第３０５７５４４号公報
【発明の開示】
【発明が解決しようとする課題】
【０００４】
しかしながら、このようなウェットティシュ容器の取出口から利用者がウェットティシュを引き出すときは、取出口が狭いため力強く引き出す必要がある。このため、ウェットティシュを引き出すときは、ウェットティシュ容器全体が大きく動き、ウェットティシュを引き出し難いという問題があった。
【課題を解決するための手段】
【０００５】
前記課題は、請求項１の発明によれば、ウェットティシュを収容する開口面及び収容部を有する容器本体と、前記収容部の開口を閉止する蓋部と、前記容器本体を配置するためのフック部と、を有するウェットティシュ容器であって、前記容器本体の前記開口面側または開口面に対向する側には、前記ウェットティシュを取り出す取出口と、前記取出口を開閉するための取出口蓋部が形成され、前記フック部が、前記取出口から離間する方向に延伸されており、前記容器本体の外面に沿って配置可能であって、離間部を有するフック本体と、前記フック本体を前記蓋部又は前記容器本体に対し回動自在に支持するフック支持部と、を有し、前記フック本体には、前記フック本体を係止するための係止用開口部が形成されていることを特徴とするウェットティシュ容器により達成される。
【０００６】
請求項１の発明によれば、前記フック部が、前記取出口から離間する方向に延伸されており、前記容器本体の外面に沿って配置可能な離間部が形成されたフック本体を有している。このため、前記容器本体の外面に沿ってフック本体を配置すると、前記フック本体と前記容器本体との間に該当する離間部に例えば、自動車の扉のサイドポケットの端部等を挟むように配置して固定することができ、ウェットティシュ容器をサイドポケット等に安定的に配置することができる。
しかも、フック本体が離間部を有することにより、前記フック本体と前記容器本体との間に例えば、自動車の扉のサイドポケットの端部等を挟むように配置すると、前記端部と前記離間部とが当接又は近接して配置されるため、容器本体がサイドポケットと近接した厚さの場合にはサイドポケットに容器本体を収容した状態でフック部が、サイドポケットの端部をより確実に挟み込んで固定することができ、また、容器本体がサイドポケットよりも大きな厚さの場合には、サイドポケットの外側に容器本体を配置して、フック部の離間部にサイドポケットの端部を挟み込むように配置して使用することができる。
さらに、請求項１の発明によれば、前記容器本体の前記開口面側または開口面に対向する面側には、前記ウェットティシュを取り出す取出口と、前記取出口を開閉するための取出口蓋部が形成されているため、確実に取出口の密閉を保ちウェットティシュの乾燥を防ぐだけでなく、前記取出口に沿った方向で、前記フック部の係止機能が有効に働いている方向にウェットティシュを引き出すこととなるため、ウェットティシュの引き出しを行いやすく、さらに引き出す力によってウェットティシュ容器が不安定に動くことを防ぎ、利用者の操作性を高めることができる。
【０００７】
また、請求項１の発明によれば、前記フック部は、前記フック本体を前記蓋部又は前記容器本体に対し回動自在に支持するフック支持部を有し、前記フック本体には、前記フック本体を係止するための係止用開口部が形成されている。このため、例えば前記フック本体を前記容器本体から離間する方向に回動させ、前記係止用開口部に例えば、自動車の座席のヘッドレストの支柱に挿入すれば、ウェットティシュ容器を前記座席等に裏面につり下げて安定的に配置することができる。
したがって、使用者がウェットティシュ容器内のウェットティシュを引き出すときも、引き出す力によってウェットティシュ容器が不安定に動くことがなく、利用者がウェットティシュを取り出しやすくなる。
【０００８】
請求項２の発明によれば、請求項１の構成において、前記取出口は前記蓋部に形成されており、前記蓋部は、前記フック支持部の回動を規制するために前記フック支持部を被覆状態するフック支持被覆部と、前記フック支持部の回動を可能にするために前記フック支持部を非被覆状態とするフック支持非被覆部と、を有し、前記フック支持被覆部と前記フック支持非被覆部とは、相互に対向して配置されていることを特徴とするウェットティシュ容器である。
請求項２の構成によれば、取出口が形成された前記蓋部は前記フック支持被覆部と前記フック支持非被覆部とを有し、これら前記フック支持被覆部と前記フック支持非被覆部とは、相互に対向して配置されている。このため、利用者は、前記蓋部の前記フック支持被覆部を前記フック支持部側に配置すると、前記フック支持部を覆うことができ、ウェットティシュ容器の外観を良好な状態に保持させることができる。
また、利用者は前記蓋部の向きを変えて、前記フック支持非被覆部を前記フック支持部側に配置するだけで、前記フック部を回動させることができる。
このように蓋部の取付け方向を変化させるだけで、容易にウェットティシュ容器の取付け状態を選択することができる。
【０００９】
請求項３の発明によれば、請求項２の構成において、前記フック本体には、前記容器本体から離間する方向に屈曲して形成されると共に、その一部が前記フック支持被覆部に覆われるよう配置される突出部が形成されていることを特徴とするウェットティシュ容器である。
請求項３の構成によれば、前記突出部は、前記容器本体から離間する方向に屈曲して形成されると共に、その一部が前記フック支持被覆部に覆われるよう配置される。このため、前記フック支持被覆部を前記フック支持部側に配置すると、両者の間隔が近接するようフック支持部を覆うようにフック支持被覆部が配置されるので、前記フック部の僅かな回動でも、前記フック支持被覆部に当接し、その動きを妨げることができる。したがって、例えばサイドポケット等の端部を離間部に挿入して使用する際には、フック支持被覆部でフック支持部や突出部を覆って使用する際には、前記フック部の回動をより確実に規制することができる。
しかも、前記突出部は容器本体から外方に離間するように形成されているため、前記容器本体を例えば自動車の扉のサイドポケット等に挿入した際に、サイドポケットの奥行きが前記容器本体の奥行きより大の場合であって、前記容器本体を前記サイドポケット内で固定配置できないときでも、前記フック部を配置することで、前記フック部における突出部が容器本体の厚みをました部分としてのスペーサとして機能する。
【００１０】
請求項４の発明によれば、請求項１乃至請求項３のいずれかの構成において、前記容器本体は、前記フック部が形成されるフック形成部と、前記フック形成部に対向する容器正面部と、前記容器正面部と前記フック形成部の側面である容器右側面部及び容器左側面部と、前記容器正面部と前記フック形成部の平面及び底面である容器平面部及び容器底面部と、を有し、前記容器本体は、前記容器正面部と前記フック形成部とを結ぶ奥行き方向が扁平な略直方体形状とされており、前記収容部の開口が、前記容器平面部又は前記容器底面部に形成されていることを特徴とするウェットティシュ容器である。
請求項４の構成によれば、前記容器本体は、前記容器正面部と前記フック形成部とを結ぶ奥行き方向が扁平な略直方体形状とされている。このため、前記ウェットティシュ容器の前記フック部を、例えば自動車の扉のサイドポケット等の縁部に配置したときに、サイドポケットから突出するウェットティシュ容器は扁平となっている。
このため、ウェットティシュ容器を配置するためのスペースが少なくて済み、自動車内やトイレ内等の限られた空間で使用するにあたって、省スペース化が可能となる。
【発明の効果】
【００１１】
本発明は、以上の点に鑑み、ウェットティシュを取り出す際に、ウェットティシュ容器が不安定にならず、ウェットティシュ容器が大きく動くことを未然に防止することができるウェットティシュ容器を提供することができるという利点がある。
【発明を実施するための最良の形態】
【００１２】
以下、この発明の好適な実施の形態を添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００１３】
（第１の実施の形態）
図１は、本発明の第１の実施の形態に係るウェットティシュ容器１００を示す概略斜視図である。図２は、図１のウェットティシュ容器１００の概略分解斜視図である。図３及び図４（ａ）は、第１の実施の形態に係るウェットティシュ容器１００を示す他の取付け状態を示す概略斜視図である。
図２に示すように、ウェットティシュ容器１００は、ロール状に巻回されて扁平に潰された状態で、使用単位毎に破線が形成されているロール状ウェットティシュ２００を収容するウェットティシュ収容部１１１が設けられたウェットティシュ容器本体１１０を有している。
このウェットティシュ容器本体１１０には、図２に示すように、後述するようにウェットティシュ容器本体１１０を例えば、自動車のドアのサイドポケット等の壁状とされた対象部に固定配置等するためのフック部１３０が形成されるフック形成部である例えば、フック形成面１１２を有している。このフック形成面１１２に対向して配置されているのが、図２の容器正面部である例えば、容器正面１１３である。
また、フック形成面１１２と容器正面１１３の側面には、容器右側面部である例えば、容器右側面１１４及び容器左側面部である例えば、容器左側面１１５が配置されている。
また、容器正面１１３とフック形成面１１２の平面及び底面である容器平面部である例えば、容器平面１１６及び容器底面部である例えば、容器底面１１７が配置されている。
そして、この容器正面１１３とフック形成面１１２とを結ぶ奥行き方向Ｄ（図２参照）が近接する方向に薄く、扁平に形成され、ウェットティシュ容器本体１１０全体は略直方体形状となっている。また、フック形成面１１２には図４に示すように段差部１１２ａが形成されている。
【００１４】
なお、ウェットティシュ容器本体１１０及び蓋部材１２０、フック部１３０はポリプロピレンやポリエチレン、ＡＢＳ樹脂、ポリカーボネート、ＰＥＴ樹脂、ポリアセタール等の耐熱性を有し、所定の強度を有する樹脂より形成されている。
この時、容器本体１１０及び蓋部材１２０の一方を剛度が強い材料で形成し、他方について変形を許容する材料で形成して、容器本体１１０及び蓋部材１２０の密閉度を高めるよう構成することが好ましく、ここでは容器本体１１０をポリプロピレンで、蓋部材１２０をポリエチレンで構成している。
また、容器本体１１０及び蓋部材１２０の密閉度を高めるために、嵌合部において弾性体よりなるパッキンを配置してもよい。
【００１５】
ウェットティシュ容器本体１１０のウェットティシュ収容部１１１の開口面である例えば、収容開口１１１ａは、図２に示すように容器平面１１６側に形成されている。
そして、このウェットティシュ収容部１１１内に収容されるロール状ウェットティシュ２００も、図２に示すように扁平な略直方体に形成されている。
ところで、ウェットティシュ容器１００は、図２及び図４（ａ）に示すように、ウェットティシュ収容部１１１の収容開口１１１ａを閉止するための蓋部１２０を有している。
この蓋部１２０には、ロール状ウェットティシュ２００の使用単位毎のウェットティシュを取り出すための取出口１２１（図４（ａ）参照）が形成され、この取出口１２１を開閉するための取出口蓋部１２２が配置されている。この取出口蓋部１２２は、図１及び図４に示す固定端１２２ａを有しており、この固定端１２２ａが蓋部１２０に固定されている。
本実施の形態においては蓋部１２０と取出口蓋部１２２を、固定ベルト１２２ｂで結ぶよう一体に成形して、固定ベルト１２２ｂが撓むように変形することで取出口蓋部１２２が開閉可能とされている。
このため、取出口蓋部１２２は、固定端１２２ａ及び固定ベルト１２２ｂを回動中心として回動し、この回動によって開閉する構成となっている。この固定端１２２ａは図２の奥行き方向Ｄに当たる容器右側面１１４または容器左側面１１５側に形成されているため、利用者が取出口蓋部１２２を開け易く、後述するように自動車内等の限られた空間においても開けた取出口蓋部１２２がウェットティシュを取り出す際の邪魔にならない構成となっている。
【００１６】
図４（ｂ）は、図４（ａ）の取出口１２１の部分拡大説明図である。図４（ａ）及び（ｂ）に示すように取出口１２１の周囲及び取出口蓋部１２２側には、嵌合等する密閉用リブ１２３ａ、１２３ｂが形成されている。このため、取出口蓋部１２２を蓋部１２０に対して閉状態に配置すると、取出口蓋部１２２側の密閉用リブ１２３ａが、取出口１２１側の密閉リブ１２３ｂの外周を覆うように相互に嵌合して取出口蓋部１２２が開放されることを防ぐと共に、取出口１２１を外気から隔離し、ウェットティシュ容器本体１１０内のロール状ウェットティシュ２００の乾燥等を未然に防ぐ構成となっている。
取出口１２１は、密閉リブ１２３ｂの内側に形成されており、直径１０ｍｍ程度の薄肉部１２１ａを形成して、その中央部に直径５ｍｍの取出開口１２１ｂを設け、取出開口１２１ｂから四方に伸びる約１ｍｍの太さとされたスリット部１２１ｃが形成されており、密閉度を保ちつつ、ロール状ウェットティシュ２００に設けられた破断線部で、使用単位毎のウェットティシュＷ１が確実に破断され、次の使用単位のウェットティシュが取出口から露出された状態で保持される。
【００１７】
図５は、容器本体１１０から蓋部１２０を取り外した状態の概略平面図である。
図５に示すように、収容開口１１１ａは、ロール状ウェットティシュ２００の使用初期状態においては、図２に示すロール状ウェットティシュ２００によって、ほぼその開口が塞がれる大きさとなっている。そして、ロール状ウェットティシュ２００から使用単位毎のウェットティシュＷ１が、捲回された中央部から引き出されて、比較的小さな開口とされた蓋部材１２０における取出口１２１から突出して配置等される構成となっている。
このため、利用者が使用単位毎のウェットティシュＷ１を持ち、引き出すようにして取り出すときは、小さな開口とされた取出口１２１の抵抗によってウェットティシュ容器１００全体が図２等の上方向に向かって大きく動くように力が働く構成となっている。
図６は、フック部１３０がウェットティシュ容器１１０から離間する方向に回動した状態を示す概略斜視図であり、図７は例えば乗用車のシートにおけるヘッドレストに取り付けた状態を示す概略側面図であって、いずれも図３及び図４（ａ）に示す方向に蓋部１２０を取り付けた状態から、フック部１３０を回動させた状態を示している。図６に示すようにフック部１３０は、フック本体１３２を有すると共に、フック本体１３２をウェットティシュ容器本体１１０に対し回動自在に支持するフック支持部である例えば、フック回動軸１３１を例えば２個有している。
【００１８】
そして、これらフック回動軸１３１、１３１に対応してウェットティシュ容器本体１１０側にも回動軸凹部１１８が形成されている。このため、フック回動軸１３１、１３１が回動軸凹部１１８内に配置され、回動することで、フック本体１３２を回動させる構成となっている。なお、この回動軸凹部１１８は、蓋部１２０に形成されていても良い。
なお、容器本体１１０側であって、フック回動軸１３１，１３１の内側には、回動軸凹部１１８，１１８からフック回動軸１３１，１３１が抜け落ちることを防ぐためのリブ１１８ａ，１１８ａが形成されている。
また、図６に示すようにフック本体１３２には、フック本体１３２を例えば、自動車の座席のヘッドレストの支柱に吊り下げるとき、支柱等を係止させるための係止用開口部である例えば、係止用開口１３２ａが形成されている。
したがって、図６及び図７のようにフック部１３０を回動させ、自動車の座席のヘッドレストの支柱等に係止用開口１３２ａを係合させることで、ウェットティシュ用１００を座席の裏面等に安定的に配置できる構成となっている。
なお、ここでは係止用開口１３２ａをＯ字状の開口としているが、Ｃ字状の切り欠かれた形態としてもよい。
【００１９】
また、フック本体１３２には、フック本体をウェットティシュ容器本体１１０に固定するための固定用凸部１３３が２個形成されている。そして、これら固定用凸部１３３、１３３に対応してウェットティシュ容器本体１１０には、固定用凹部１１９、１１９が２個配置されている。
すなわち、フック本体１３２を図４（ａ）のように、ウェットティシュ容器本体１１０の外面に沿って配置したときに、フック本体１３２の固定用凸部１３３、１３３がウェットティシュ容器本体１１０の固定用凹部１１９、１１９と係合することで、フック本体１３２の回動が規制されるように構成されている。
【００２０】
図８乃至図１０は例えば自動車等のサイドポケットに取り付けた状態におけるウェットティシュ容器１００の側面等を示す概略図であって、図８は比較的広い幅のサイドポケットに取り付けた状態を示し、図９はウェットティシュ容器１００の奥行きと略同等の幅とされたサイドポケットに取り付けた状態を示し、図１０はウェットティシュ容器１００の奥行きよりも狭い幅とされたサイドポケットに取り付けた状態を示している。
フック部１３０は取出口１２１から離間する方向に延伸されており、フック部１３０には、図８乃至図１０に示すように固定用凸部１３３から、ウェットティシュ容器本体１１０から離間する方向に屈曲して形成される突出部１３４を有している。
また、この突出部１３４は、その下側に、図８の下方に向かってウェットティシュ容器本体１１０の外面に沿った形状のスペーサ部１３５が形成されている。
さらに、図８に示すように、ウェットティシュ容器本体１１０に対して近接して配置される離間部である挟持部１３６が配置されている。すなわち、挟持部１３６は湾曲形状となっており、湾曲形状の頂点１３６ａが最もウェットティシュ容器本体１１０の外面に近接する構成となっている。なお、挟持部１３６の頂部には、さらに容器本体１１０に近接するリブが形成されていてもよい。
この突出部１３４を含むフック部１３０は図１に示されるように薄肉状とされており、若干の変形が可能とされており、図８に示すように容器本体１１０に沿った方向に固定された状態において、矢印Ｆの方向に若干の変形を行うことができる。
【００２１】
ところで、蓋部１２０には、図６のフック部１３０のフック回動軸１３１、１３１の回動を規制するために、フック回動軸１３１を図１に示すように被覆するフック支持被覆である例えば、被覆部１２４を有している。また、蓋部１２０には、被覆部１２４の反対側に、図６に示すようにフック部１３０の回動を可能にするためにフック回動軸１３１を非被覆状態とするフック支持非被覆部である例えば、露出部１２５が配置されている。
すなわち、露出部１２５は蓋部１２０の一部を切り欠くことにより形成されている。このように構成されている被覆部１２４と露出部１２５とは、相互に蓋部１２０に関して対向して配置されている。具体的には、被覆部１２４と露出部１２５は、共に図２の容器正面１１３若しくはフック形成面１１２のいずれの向きにも配置できる構成となっている。
このため、利用者は蓋部１２０の向きを変えてウェットティシュ容器本体１１０に装着することで、フック部１３０を図４（ａ）や図６のように回動可能にしたり、図１のように回動を規制するようにしたりすることが容易にできる構成となっている。
また、図８に示すように、蓋部１２０の被覆部１２４をフック部１３０側に配置すると、フック部１３０の一部である突出部１３４を覆うように被覆部１２４が配置されることで近接される構成となる。このため、被覆部１２４によってフック部１３０の回動をより精度良く規制することができる構成となっている。
なお、蓋部１２０に形成された被覆部１２４と露出部１２５によって、フック部１３０の回動を規制するだけでなく、固定用凹部１１９と固定用凸部１３３の組み合せによる嵌合で回動を規制する構成のみとしてもよく、その他の回動規制のための部材を別途形成してもよい。
【００２２】
本実施の形態に係るウェットティシュ容器１００は、以上のように構成されるが、以下、その動作例等について説明する。
以下、ウェットティシュ容器１００を自動車の扉のサイドポケットに配置する場合等を例に説明する。
図２に示すように、その内部にロール状ウェットティシュ２００を収容することでウェットティシュ容器１００が形成される。このウェットティシュ容器１００は、そのウェットティシュ容器本体１１０が奥行き方向Ｄに薄く扁平な略直方体であって、自動車内やトイレ内等の限られた空間において使用する場合でも、設置しやすく使用しやすい形態となっている。
ここで、ウェットティシュ容器１００を図８に示すように自動車のサイドポケット３００に配置する場合における装着例を説明する。
まず、自動車のサイドポケット３００のような端部を有する薄肉状とされた壁面に装着する場合には、図１に示されるように、蓋部材１２０の被覆部１２４がフック部１３０側に配置されるように、蓋部材１２０を取り付ける。このように取り付けることにより、フック部１３０のフック回動軸１３１から突出部１３４の回動軸側にかけて被覆部１２４が覆うことになり、フック部１３０が開かないようフック部１３０の回動を防ぎ、確実に挟持部１３６によってサイドポケット３００の壁面を挟みこんだ状態を維持できる。
しかも、この時、図１の取出口蓋部１２２は図２の容器側面１１４，１１５側に固定端１２２ａが配置されており、取出口蓋部１２２はサイドポケット３００に沿った方向に開閉することとなり、取出口蓋部１２２が利用者側やサイドポケットの扉側に開くことがないため、利用者が取り出す際に、取出口蓋部１２２が操作に当たっての阻害要因となることがない。
【００２３】
図８に示すように、サイドポケット３００の幅がウェットティシュ容器１００の奥行きＥよりも大きな幅Ｓ１とされた場合には、利用者はサイドポケット３００内に容器本体１１０を配置し、サイドポケット３００の端部をフック部１３０の挟持部１３６の間に挿入して挟み込む。
この時、容器本体１１０側の奥行きＤの幅はサイドポケット３００内に収容されており、例えば狭い自動車内においても取り扱いやすいコンパクトな形態とされており、さらに、サイドポケット３００の利用者側にウェットティシュ容器１００が配置されるため、ウェットティシュＷ１を引き出すに当たっての取り扱いを行いやすい。
しかも、サイドポケット３００の壁面を容器本体１１０のフック形成面１１２と、フック本体１３２の挟持部１３６の頂点１３６ａとで挟み込んで固定すると共に、サイドポケット３００の端部に容器本体１１０の段差部１１２ａが当接されるため、サイドポケット３００に確実にウェットティシュ容器１００が固定されることとなり、例え小さく形成された図４（ａ）に示す取出口１２１からウェットティシュの使用単位Ｗ１を引き出す際でも、ウェットティシュ容器１００が動いてしまうことがなく、ウェットティシュＷ１を取り出しやすい。
【００２４】
なお、サイドポケット３００の幅が、容器本体１１０の奥行きＤと略同等とされた自動車の場合においても、図９に示すように取り付けることが好ましい。
図９に示すように、サイドポケット３００の幅がウェットティシュ容器１００の奥行きＥと略同等の幅Ｓ２とされた場合には、利用者はサイドポケット３００内にウェットティシュ容器１００の全体を挿入する。
この時、ウェットティシュ容器１００の奥行きＥの幅はサイドポケット３００内に収容されており、例えば狭い自動車内においても取り扱いやすいコンパクトな形態とされている。
しかも、サイドポケット３００両壁面に、ウェットティシュ容器本体１１０の図２に示す容器正面１１３とフック部１３０の突出部１３４外面が接触して固定されることとなる。
特に、自動車の扉側壁面に当接された突出部１３４のスペーサ部１３５は、変形を許容する形態とされており、ドアポケットの幅Ｓ２に応じて若干の撓みによる変形を行うことで適切な強さでサイドポケット３００内に固定されるため、例え小さく形成された図４（ａ）の取出口１２１からウェットティシュの使用単位Ｗ１を引き出す際でも、ウェットティシュ容器１００が動いてしまうことがなく、安定してウェットティシュＷ１を取り出しやすい。
【００２５】
さらに、図１０に示すように、サイドポケット３００の幅がウェットティシュ容器１００の奥行きＥよりも小さな幅Ｓ２とされた場合には、利用者はサイドポケット３００の外側に容器本体１１０を配置し、サイドポケット３００の端部をフック部１３０の挟持部１３６の間から挿入して挟み込む。
この時、容器本体１１０側の奥行きＤの幅がサイドポケット３００の外側に配置されているが、容器本体１１０が奥行きＤ側に扁平な直方体状とされているため、例えば狭い自動車内においても取り扱いやすいコンパクトな形態とされており、さらに、サイドポケット３００の利用者側にウェットティシュ容器１００が配置されるため、ウェットティシュＷ１を引き出すに当たっての取り扱いを行いやすい。
しかも、サイドポケット３００の壁面を容器本体１１０のフック形成面１１２と、フック本体１３２の挟持部１３６の頂点１３６ａとで挟み込んで固定すると共に、サイドポケット３００の端部に容器本体１１０の段差部１１２ａが当接されるため、サイドポケット３００に確実にウェットティシュ容器１００が固定されることとなり、例え小さく形成された取出口１２１からウェットティシュの使用単位Ｗ１を引き出す際でも、ウェットティシュ容器１００が動いてしまうことがなく、ウェットティシュＷ１を取り出しやすい。
【００２６】
次に、ウェットティシュ容器１００を吊り下げる場合について説明する。
先ず、図１に示すように蓋部１２０の被覆部１２４がフック部１３０側に配置されている場合は、蓋部１２０を外して、蓋部１２０の被覆部１２４を図３に示すウェットティシュ容器本体１１０の容器正面１１３側に位置するように向きを変える。
すると、蓋部１２０の露出部１２５は、図４（ａ）や図６に示すようにフック部１３０側に配置される。この状態では、蓋部１２０がフック部１３０の回動を妨げることがないので、利用者は、フック部１３０の固定用凸部１３３とウェットティシュ容器本体１１０の固定用凹部１１９との係合を解除して、フック部１３０をウェットティシュ容器本体１１０から離間する方向に回動させる。
そして、図６のフック部１３０の係止用開口１３２ａ内に例えば自動車の座席のヘッドレストの支柱等のような棒状体を挿入する。これにより、図７に示すように、ウェットティシュ容器１００は座席の支柱によって吊り下げられ安定して配置されることになる。
このような棒状体は、上述した支柱等だけではなく、利用者が取り付けた所謂Ｓ字フックなども対象となり、様々な棒状体への取付けが可能とされている。
このように蓋部１２０の向きを変えるだけで利用者は容易にフック部１３０を回動させたり、固定させたりすることができる。
【００２７】
（第２の実施の形態）
図１１は、第２の実施の形態に係るウェットティシュ容器の要部を示す概略図である。本実施の形態のウェットティシュ容器の構成の多くは第１の実施の形態に係るウェットティシュ容器１００と同様なため共通する部分は同一符号等とし、説明を省略し、以下、相違点を中心に説明する。
図１１に示すように、本実施の形態ではフック部２３０の構成が第１の実施の形態と異なる。すなわち、フック部２３０の係止用開口２３２には、例えば２つのバー２３７、２３７が形成されている。
このため、フック部２３０を自動車の座席のヘッドレストの支柱等に吊り下げる場合、この支柱の太さに応じて、このバー１２７の間の領域に係合させるように配置することで、より安定的にウェットティシュ容器を壁に吊り下げることができる。具体的には、図１１の斜線で示すように細い支柱の場合は先端側の細幅とされた領域に、太い支柱の場合は広幅とされた領域に支柱を配置すると、支柱がフック部２３０の係止用開口２３２ａ内で移動しないので、より安定させることができる。
【００２８】
（第３の実施の形態）
図１２は、第３の実施の形態に係るウェットティシュ容器４００の要部を示す概略図である。本実施の形態のウェットティシュ容器の構成の多くは第１の実施の形態に係るウェットティシュ容器１００と同様なため共通する部分は同一符号等とし、説明を省略し、以下、相違点を中心に説明する。
図１２に示すように、本実施の形態に係るウェットティシュ容器４００は、第１の実施の形態のウェットティシュ容器１００と比べフック部４３０が大きく異なる。
すなわち、フック部４３０はウェットティシュ容器本体４２０と一体に形成され、屈曲部４３１を有している。
したがって、ウェットティシュ容器本体１１０に対して蓋部４２０を配置する際、蓋部４２０に形成されている被覆部４２４がフック部４３０を図の矢印Ｙ方向に押すことになる。そして、これにより、フック部４２０は図の矢印Ｘ方向に屈曲部４３１から屈曲する構成となり、取出口１２１から離間する方向に延伸されている。
【００２９】
図１３は、ウェットティシュ容器４００を自動車の扉のサイドポケットに取り付けた状態を示す概略斜視図である。
図１３に示すようにフック部４２０が蓋部４２０の被覆部４２４によって、下方に向けて配置させられているため、ウェットティシュ容器４００をサイドポケット３００に安定的に配置することができる。
図１４は、蓋部４２０の露出部４２５をフック部４３０に向けて配置した状態を示す概略斜視図である。図１４に示すように、図１３の蓋部４２０の向きを変えることにより第１の実施の形態と同様にフック部４３０を回動可能な状態にすることができる。
図１５は、ウェットティシュ容器４００のフック部４３０が上方向に回動され、自動車の座席のヘッドレストの支柱に取り付けられた状態を示す概略斜視図である。すなわち、図１３のフック部４３０の係止用開口４３２ａ内に前記支柱を挿入することで、ウェットティシュ容器４００を図１５に示すように座席の裏面に吊り下げて配置させることができる。
【００３０】
（第４の実施の形態）
図１６は、第４の実施の形態に係るウェットティシュ容器５００の要部を示す概略図である。本実施の形態のウェットティシュ容器の構成の多くは第１の実施の形態に係るウェットティシュ容器１００と同様なため共通する部分は同一符号等とし、説明を省略し、以下、相違点を中心に説明する。
図１６に示すように、本実施の形態のウェットティシュ容器５００は、第１の実施の形態と異なるフック部５３０が蓋部５２０と一体に形成され、屈曲可能な屈曲部５３１が形成されている。また、フック部５３０は、フック部本体５３２と、フック部保持部５３３とを有しており、フック部保持部５３３は複数の溝状の薄肉部が形成されることで様々な角度に変形可能とされている。
また、フック保持部５３３は、ウェットティシュ容器本体５１０に取り付ける容器本体取付部５３４を有している。すなわち、フック部５３０は一方で蓋部５２０と一体に接続され、他方でウェットティシュ容器本体５１０に取り付けられる構成となっている。
【００３１】
図１７は、ウェットティシュ容器５００の使用状態を示す概略斜視図である。すなわち、先ず、図１７に示すように、フック保持部５３３からフック本体５３２を起立させる。そして、自動車の座席のヘッドレストの支柱等の棒状体をフック本体５３２の係止用開口５３２ａに挿入することでウェットティシュ容器５００を座席の裏面に吊り下げることができる。
図１８及び図１９はウェットティシュ容器の他の使用状態を示す概略図である。図１８は、サイドポケット３００内にウェットティシュ容器５００を収容した状態を示しており、フック部５３０がスペーサとなり、さらに段差部１１２ａがサイドポケット３００の端部に当接することで、サイドポケット３００内でウェットティシュ容器５００が安定的に配置されている状態を示している。なお、サイドポケット３００の形状に応じて、図１８に示した状態とは逆向きにセットし、フック部５３０がサイドポケット３００の端部側に配置されるようにセットすることもできる。
【００３２】
図１９は、容器本体取付部５３４を容器本体５１０から取り外し、フック部５３０を屈曲部５３１で回動させることによって、サイドポケット３００内に容器本体取付部５３４が挿入されてウェットティシュ容器５００が安定的に配置されている状態を示している。
このように、本実施形態においては、容器本体取付部５３４の容器本体５１０への装着を選択することによって離間部が形成され、フック保持部５３３の基端部にあたる屈曲部５３１とフック本体５３２の基端部５３２ｂが、フック部５３０を回動自在とするためのフック支持部として機能している。
【００３３】
（第５の実施の形態）
図２０は、第５の実施の形態に係るウェットティシュ容器６００の要部を示す概略図である。本実施の形態のウェットティシュ容器の構成の多くは第１の実施の形態に係るウェットティシュ容器１００と同様なため共通する部分は同一符号等とし、説明を省略し、以下、相違点を中心に説明する。
図２０に示すように、本実施の形態のウェットティシュ容器６００は、第１の実施の形態と異なるウェットティシュ容器本体６１０と蓋部材６２０の構成とされており、ロール状ウェットティシュ２００を収容するための容器本体６１０に形成された開口面となる第１の実施の形態の収容開口１１１ａが、容器底面６１７側に形成されており、蓋部６２０が配置されて収容開口１１１ａを塞ぐよう構成されている。
【００３４】
一方、取出口蓋部６２２が、容器本体６１０の収容開口１１１ａに対向する面側となる容器平面６１６側に、容器本体６１０とは別部材とされてヒンジ部６２２ｂを介して、容器本体６１０側に直接取り付けられている。
このように構成することで、配置された状態における上方に収容開口１１１ａが形成されていないことや、蓋部６２０にポリエチレン等の軟質部材を使用し、容器本体６１０にポリプロピレン等よりなる硬質部材を使用することによって、収容開口１１１ａの密閉度を高め、ウェットティシュ２００に含浸された薬液の揮発を防いでいる。
さらに、本実施の形態のウェットティシュ容器６００は、第１の実施の形態と異なるフック部材６３０が容器本体６１０のフック形成面６１２側に形成されている。
このフック部材６３０は、支持部であるフック回動軸６３１で容器本体６１０に取り付けられて、フック回動軸６３１を経て収容開口１１１ａから離間する方向に延伸されたフック本体６３２が形成されて、離間部となる挟持部６３６によって容器正面６１２壁面との間でサイドポケット３００の壁面等に係止可能とされている。しかも、フック回動軸６３１には付勢手段６３１ａである例えばコイルスプリングが配置されており、挟持部６３６によって挟み込んで固定する方向に付勢しているため、例えウェットティシュＷ１を引き出す際に、上方への強い力がかかった場合においても、ウェットティシュ容器６００が動くことなく安定的に引き出すことができる。
また、フック本体６３２の挟持部６３６側には、係止用開口６３２ａが設けられており、付勢手段６３１ａを取り外した状態で、挟持部６３６を容器正面６１２壁面から離間する方向に変位させることが可能とされており、係止用開口６３２ａを使用して、例えば自動車のヘッドレスト等における支柱を挿通して吊り下げて使用することもできる。
【００３５】
本発明は、上述の各実施の形態に限定されない。
例えばフック部は支軸部や係止用開口部を有している各種形態のフックが使用可能であり、例えばＣ字状に切り欠かれた係止用開口部とされていてもよい。
また、容器本体は、扁平な直方体形状だけでなく、扁平な楕円柱状とされてもよく、さらには円柱状などの形状とされていてもよい。
なお、上述の各実施の形態は、相互に組み合わせて構成するようにしてもよい。
【図面の簡単な説明】
【００３６】
【図１】本発明の第１の実施の形態に係るウェットティシュ容器を示す概略斜視図である。
【図２】図１のウェットティシュ容器の概略分解斜視図である。
【図３】第１の実施の形態に係るウェットティシュ容器を示す他の概略斜視図である。
【図４】（ａ）は、第１の実施の形態に係るウェットティシュ容器を示す他の概略斜視図であり、（ｂ）は、（ａ）の取出口の部分拡大説明図である。
【図５】容器本体から蓋部を取り外した状態の概略平面図である。
【図６】フック部がウェットティシュ容器から離間する方向に回動した状態を示す概略斜視図である。
【図７】例えば乗用車のシートにおけるヘッドレストに取り付けた状態を示す概略側面図である。
【図８】自動車等の比較的広い幅のサイドポケットに取り付けた状態におけるウェットティシュ容器の側面等を示す概略図である。
【図９】ウェットティシュ容器の奥行きと略同等の幅とされた自動車等のサイドポケットに取り付けた状態におけるウェットティシュ容器の側面等を示す概略図である。
【図１０】ウェットティシュ容器の奥行きよりも狭い幅とされた自動車等のサイドポケットに取り付けた状態におけるウェットティシュ容器の側面等を示す概略図である。
【図１１】第２の実施の形態に係るウェットティシュ容器の要部を示す概略図である。
【図１２】第３の実施の形態に係るウェットティシュ容器の要部を示す概略図である。
【図１３】ウェットティシュ容器を自動車の扉のサイドポケットに取り付けた状態を示す概略斜視図である。
【図１４】蓋部の露出部をフック部に向けて配置した状態を示す概略斜視図である。
【図１５】ウェットティシュ容器のフック部が上方向に回動され、自動車の座席のヘッドレストの支柱に取り付けられた状態を示す概略斜視図である。
【図１６】第４の実施の形態に係るウェットティシュ容器の要部を示す概略図である。
【図１７】ウェットティシュ容器の使用状態を示す概略斜視図である。
【図１８】ウェットティシュ容器の他の使用状態を示す概略図である。
【図１９】ウェットティシュ容器の他の使用状態を示す概略図である。
【図２０】第５の実施の形態に係るウェットティシュ容器の要部を示す概略図である。
【符号の説明】
【００３７】
１００、４００、６００・・・ウェットティシュ容器、１１０、４１０、５１０、６１０・・・ウェットティシュ容器本体、１１１・・・ウェットティシュ収容部、１１１ａ・・・収容開口、１１２、６１２・・・フック形成面、１１２ａ・・・段差部、１１３・・・容器正面、１１４・・・容器右側面、１１５・・・容器左側面、１１６・・・容器平面、１１７、６１７・・・容器底面、１１８・・・回動軸凹部、１１８ａ・・・リブ、１１９・・・固定用凹部、１２０、４２０、６２０・・・蓋部、１２１、２２１、３２１・・・取出口、１２１ａ・・・薄肉部、１２１ｂ・・・取出開口、１２１ｃ・・・スリット部、１２２、６２２・・・取出口蓋部、１２２ａ・・・固定端、１２２ｂ・・・固定ベルト、１２３・・・密閉用リブ、１２３ａ、１２３ｂ・・・密閉用リブ、１２４、４２４・・・被覆部、１２５、４２５・・・露出部、１３０、２３０、４３０、５３０、６３０・・・フック部、１３１・・・フック回動軸、１３２、２３２、６３２・・・フック本体、１３２ａ、２３２ａ、４３２ａ、５３２ａ、６３２ａ・・・係止用開口、１３３・・・固定用凸部、１３４・・・突出部、１３５・・・スペーサ部、１３６、６３６・・・挟持部、１３６ａ・・・頂点、２００・・・ロール状ウェットティシュ、２３７・・・バー、３００・・・サイドポケット、４３１、５３１・・・屈曲部、５３２・・・フック部本体、５３２ｂ・・・基端部、５３３・・・フック部保持部、５３４・・・容器本体取付部、６１６１・・・容器平面、６３１・・・フック回動軸、Ｗ１・・・使用単位のウェットティシュ。
【図１】
2005104501.tif 000003
【図２】
2005104501.tif 000004
【図３】
2005104501.tif 000005
【図４】
2005104501.tif 000006
【図５】
2005104501.tif 000007
【図６】
2005104501.tif 000008
【図７】
2005104501.tif 000009
【図８】
2005104501.tif 000010
【図９】
2005104501.tif 000011
【図１０】
2005104501.tif 000012
【図１１】
2005104501.tif 000013
【図１２】
2005104501.tif 000014
【図１３】
2005104501.tif 000015
【図１４】
2005104501.tif 000016
【図１５】
2005104501.tif 000017
【図１６】
2005104501.tif 000018
【図１７】
2005104501.tif 000019
【図１８】
2005104501.tif 000020
【図１９】
2005104501.tif 000021
【図２０】
2005104501.tif 000022